(57)【要約】      （修正有）【課題】  凹凸の欠点の知覚を減少させ、色の欠点を隠し、肌色をマットする事も可能にする化粧的な皮膚の処理法、及び少なくとも一つのソフトフォーカスフィラーを含む組成物、及びその噴霧方法を提供する。【解決手段】  １５μｍ以下の数平均サイズで、その種類としてシリカ、タルク、ポリメチルメタクリレート（ＰＭＭＡ）、ＴｉＯ２、酸化亜鉛等及びそれらの混合物から選択されたフィラーを重量比で０．１〜２０重量％で含まれる組成物を生理学的に許容される媒体中に含み、４０％以上のヘイズ指数Ｈ及び７０％以上の半球透過率Ｔｈを与える組成物及び噴霧装置。【選択図】なし【特許請求の範囲】
【請求項１】
皮膚、粘膜又は爪の表面のための化粧的な処理法、特にメイクアップ法であって、上記表面上への化粧料組成物の噴霧による施与を含み、この組成物は生理学的に許容される媒体中に、該組成物に４０％以上のヘイズ指数Ｈ及び７０％以上の半球透過率Thを与えるための少なくとも１のフィラーを含む方法。
【請求項２】
組成物が４５％以上のヘイズ指数Ｈを有することを特徴とする、請求項１に記載の方法。
【請求項３】
組成物が５０％以上のヘイズ指数Ｈを有することを特徴とする、請求項１に記載の方法。
【請求項４】
組成物が６０％以上のヘイズ指数Ｈを有することを特徴とする、請求項１に記載の方法。
【請求項５】
組成物が７０％以上のヘイズ指数Ｈを有することを特徴とする、請求項１に記載の方法。
【請求項６】
組成物が７５％以上の半球透過率Ｔｈを有することを特徴とする、請求項１又は２に記載の方法。
【請求項７】
組成物が８０％以上の半球透過率Ｔｈを有することを特徴とする、請求項１又は２に記載の方法。
【請求項８】
組成物が８５％以上の半球透過率Ｔｈを有することを特徴とする、請求項１又は２に記載の方法。
【請求項９】
フィラーが１５μｍ以下の数平均サイズを有する粒子からなることを特徴とする、請求項１〜８のいずれか１項に記載の方法。
【請求項１０】
フィラーが１０μｍ以下の数平均サイズを有する粒子からなることを特徴とする、請求項１〜９のいずれか１項に記載の方法。
【請求項１１】
フィラーが７．５μｍ以下の数平均サイズを有する粒子からなることを特徴とする、請求項１〜１０のいずれか１項に記載の方法。
【請求項１２】
フィラーが５μｍ以下の数平均サイズを有する粒子からなることを特徴とする、請求項１〜１１のいずれか１項に記載の方法。
【請求項１３】
フィラーが、シリカ又はケイ酸塩粉末、タルク、ポリメチルメタクリレート（ＰＭＭＡ）タイプの粉末、シリカ／ＴｉＯ2又はシリカ／酸化亜鉛複合体、ポリエチレン粉末、澱粉粉末、ポリアミド粉末、スチレン／アクリルコポリマー粉末及びシリコーンエラストマー、及びそれらの混合物から選択されることを特徴とする、請求項１〜１２のいずれか１項に記載の方法。
【請求項１４】
フィラーがアルミナシリケート粉末から選択されることを特徴とする、請求項１〜１３のいずれか１項に記載の方法。
【請求項１５】
フィラーが、３ミクロン以下の数平均サイズを有するタルク粒子、ナイロン(商標)１２粉末、鉱物性のワックスで表面処理されたシリカ粒子、アモルファスのシリカ微小球、及びシリカミクロビーズ、及びそれらの混合物から選択されることを特徴とする、請求項１〜１４のいずれか１項に記載の方法。
【請求項１６】
フィラーが、組成物の合計重量に対して０．１〜２０重量％の割合で存在することを特徴とする請求項１〜１５のいずれか１項に記載の方法。
【請求項１７】
フィラーが、組成物の合計重量に対して１〜１２重量％の割合で存在することを特徴とする請求項１〜１６のいずれか１項に記載の方法。
【請求項１８】
フィラーが、組成物の合計重量に対して５〜１０重量％の割合で存在することを特徴とする請求項１〜１７のいずれか１項に記載の方法。
【請求項１９】
組成物が、揮発性オイル及び非揮発性オイル、及びそれらの混合物から選択される少なくとも１のオイルを含む少なくとも１の液状脂肪相を含むことを特徴とする、請求項１〜１８のいずれか１項に記載の方法。
【請求項２０】
組成物が室温において８cＳｔ未満の粘度を有する直鎖又は環状シリコーンオイル、８〜１６の炭素原子を含む炭化水素をベースとする揮発性オイル、及びフルオロオイル、及びそれらの混合物から選択される少なくとも１の揮発性オイルを含むことを特徴とする、請求項１９に記載の方法。
【請求項２１】
組成物が、イソドデカン、Ｃ8〜Ｃ16のイソパラフィン、及びそれらの混合物から選択される少なくとも１の揮発性オイルを含むことを特徴とする、請求項１９又は２０のいずれか１項に記載の方法。
【請求項２２】
組成物が、デカメチルテトラシロキサン又はシクロペンタシロキサン又はそれらの混合物と併用される少なくとも１の揮発性オイルを含むことを特徴とする、請求項２１に記載の方法。
【請求項２３】
組成物が、組成物の合計重量に対して５〜９７．５重量％の範囲の含有量で少なくとも１の揮発性オイルを含むことを特徴とする、請求項１９〜２２のいずれか１項に記載の方法。
【請求項２４】
組成物が、組成物の合計重量に対して２０〜７５重量％の範囲の含有量で少なくとも１の揮発性オイルを含むことを特徴とする、請求項１９〜２２のいずれか１項に記載の方法。
【請求項２５】
液状脂肪相が、ポリ（Ｃ1〜Ｃ20）アルキルシロキサン、脂肪族及び／又は芳香族基で変性されたシリコーン、フェニルシリコーンオイル、植物又は鉱物起源のオイル、及びアミド化合物、及びそれらの混合物から選択された少なくとも１の非揮発性オイルを含むことを特徴とする請求項１〜２４のいずれか１項に記載の方法。
【請求項２６】
非揮発性オイルが、ゴマ油、ラノリン、ミリスチン酸イソプロピル、ミグリオール油、ネオペンタン酸イソステアリル、パルミチン酸２−エチルヘキシル、ヒマシ油、クエン酸アセチルトリブチル、２−オクチルドデカノール、Ｎ−ペンタノイル−２−オクチルドデシルアミン及びポリジメチルシロキサン及び／又はそれらの混合物から選択されることを特徴とする請求項２５に記載の方法。
【請求項２７】
組成物が非液状の脂肪相をもまた含むことを特徴とする請求項１〜２６のいずれか１項に記載の方法。
【請求項２８】
組成物が、組成物の合計重量に対して１〜８５重量％の割合で存在する非揮発性の脂肪フラクションを含むことを特徴とする、請求項１〜２７のいずれか１項に記載の方法。
【請求項２９】
組成物が、組成物の合計重量に対して１〜３０重量％の割合で存在する非揮発性の脂肪フラクションを含むことを特徴とする、請求項１〜２８のいずれか１項に記載の方法。
【請求項３０】
ソフトフォーカス組成物の噴霧の段階の前に、該ソフトフォーカス組成物とは異なるところの少なくとも１の下地組成物の表面への事前の施与をもまた含むことを特徴とする請求項１〜２９のいずれか１項に記載の方法。
【請求項３１】
下地組成物が着色されていることを特徴とする、請求項３０に記載の方法。
【請求項３２】
ソフトフォーカス組成物の噴霧が、上記ソフトフォーカス組成物とは異なる、少なくとも１の下地組成物の噴霧と同時に行われることを特徴とする、請求項１〜２９のいずれか１項に記載の方法。
【請求項３３】
ソフトフォーカス組成物および下地組成物のうちの少なくとも１が少なくとも１の着色剤を含むことを特徴とする、請求項３０〜３２のいずれか１項に記載の方法。
【請求項３４】
少なくとも１の化粧料下地組成物および、請求項１〜３３のいずれか１項において定義された、該下地組成物とは異なるソフトフォーカス組成物を含むメイクアップキット。
【請求項３５】
４０％以上のヘイズ指数Ｈ及び７０%以上の半球透過率Ｔｈを組成物に与えるための少なくとも１のフィラーを、生理学的に許容される媒体中に含む組成物を含む容器を含む噴霧装置。
【請求項３６】
組成物が噴霧されることを許す圧力に組成物を付すための手段を含むことを特徴とする、請求項３５に記載の装置。
【請求項３７】
組成物が噴霧されることを許す負の圧力に組成物を付すための手段を含むことを特徴とする、請求項３５に記載の装置。
【発明の詳細な説明】
【技術分野】
【０００１】
本発明発明は、皮膚、粘液膜及び／又は外皮、特に非繊維質のケラチン物質の化粧処理に関する
【０００２】
より詳細には本発明は、皮膚の欠点を少なくとも部分的に隠すために特に有用であるところの方法を提案することに向けられる。
【発明の開示】
【発明が解決しようとする課題】
【０００３】
皮膚特に顔あるいは首の不完全性をファンデーションを用いて隠すことを望むことは一般的である。
【０００４】
従来のファンデーションは一般的に広い被覆を与え、肌色をくすませ（matting）、皮膚の色の不完全性、例えば赤みを隠すために有用であるが、必ずしも凹凸の欠点、例えばしわをもまた隠すためには適切ではない。
【０００５】
しわ及び他の凹凸の欠点を隠すため、“ソフトフォーカス”フィラーを含む組成物が使用される。これらの組成物は、それらが塗布されるところの表面の凹凸の知覚を減少させる。
【０００６】
ファンデーションですでにメイクアップされた皮膚の上への、手動による又はアプリケーターを使用してのソフトフォーカスフィラーを含む組成物の塗布は、少なくとも部分的に２つの組成物の緊密な混合をもたらし、それはソフトフォーカス組成物の有効性の減少をもたらし、結果の質を損なう。
【０００７】
従って、特に凹凸の欠点の知覚を減少させることを可能にし、適切な場合には、色の欠点を隠し、肌色をマットにすることをもまた可能にする化粧的な皮膚の処理法から恩恵を受ける必要がある。
【０００８】
さらに、少なくとも１のソフトフォーカスフィラーを含む組成物を用いて得られるメイクアップの質をさらに改善するための必要がある。
【０００９】
また隠蔽効果を生み出すことなく欠点を繕い、メイクアップされた肌に自然な外観を保つ必要もある。
【００１０】
本発明はこれらの必要性の全部又は一部を満足することに向けられる。
【課題を解決するための手段】
【００１１】
その第１の特徴に従うと、本発明の課題は化粧的な処理法、特に皮膚、粘膜又は爪の表面のメイクアップ法であり、この方法はソフトフォーカス化粧料組成物の、該表面上への噴霧による施与を含み、この組成物は生理学的に許容される媒体中に、該組成物に４０％以上のヘイズ指数（haze index）及び７０％以上の半球透過率(hemispheric transmission factor)Thを与える少なくとも１のフィラーを含む。
【００１２】
用語“噴霧すること”とは、好ましくは多かれ少なかれ微粒子の霧、特に滴の形における
散布を意味する。
【００１３】
噴霧による組成物の施与は、実質的に均一なその堆積を許すことができ、そのことは皮膚の凹凸の欠点を隠蔽することにずっとよく寄与する。
【００１４】
ソフトフォーカス組成物の施与の前に、下地組成物（それは特に着色されており、例えば従来のファンデーションである）が処理されるべき表面へ施与され得る。
【００１５】
従って本発明のメイクアップ法は、第１段階において任意の従来方式、例えば手動で、アプリケーター、例えばブラシ又はスポンジを用いてあるいは噴霧による、着色された下地の化粧料組成物の施与を含む。次に本発明のソフトフォーカスの組成物が第２段階において噴霧によりこの第１のメイクアップの皮膜の上に重ねられる。
【００１６】
噴霧は薄いフィルム例えば“ベール”タイプの形態においてソフトフォーカス組成物を下地組成物の表面の上に堆積させることを可能にし、その結果、所望されるソフトフォーカスの発現に有害となり得る２つの組成物間の緊密な混合を防ぐことを可能にする。
【００１７】
本発明はこのように、着色された不完全さであれ、凹凸であれ、隠蔽に関して特に満足のいくメイクアップを得ることを可能にし得る。
【００１８】
変形として、ソフトフォーカス組成物の施与は例えば、少なくとも２つのノズルを含む噴霧装置を用いる手段により下地組成物の施与と同時でもあり得る。
【発明を実施するための最良の形態】
【００１９】
ソフトフォーカス組成物は。特に該組成物が着色された下地組成物の上に重ねられることを意図されているか又はされていないかにより、少なくとも１の着色剤を含んでいても又は含まなくてもよい。
【００２０】
特にソフトフォーカス組成物がメイクアップされるべき表面に直接施与され、かつソフトフォーカス組成物が着色剤を含む場合、組成物の飽和C*は好ましくは１７〜６０であり、さらによく２０〜６０である。
【００２１】
１７超の飽和値C*は色の十分な供給が得られることを許すのに対し、６０未満の値はソフトフォーカスの生産を損なわないことを可能にし、かつ自然なメイクアップが得られることをもまた許す。
【００２２】
半球透過率Thの測定及びヘイズ指数Hの計算
上に示されたように、ソフトフォーカスの化粧料組成物は４０％以上、好ましくは４５％以上、特に５０％、よりよく６０％、ずっとよりよく７０％以上、特に７５％、よりよく８０％のヘイズ指数を有する。
【００２３】
半球透過率Th自身は７０％以上、特に７５％以上、よりよく８０％以上又は８５％でさえある。
【００２４】
用語“ヘイズ指数H”とは大きさ（（Ｔｈ−Ｔｄ）／Ｔｈ）・１００を意味し、ここでＴｈは半球透過率を、Ｔｄは直接透過率を表す。
【００２５】
ヘイズ指数Ｈが高いとき、組成物は大きなソフトフォーカスを与え、凹凸の知覚を変えることにより欠点が隠蔽されることを許す。
【００２６】
半球透過率Ｔｈは組成物の透明性に関する情報を与える。Ｔｈ値が高いほど、組成物はより透明である。
【００２７】
Ｔｈ及びＴｄ値は分光光度計及び積分球（特徴づけることを所望される組成物の後ろに置かれる）を用いて測定されうる。
【００２８】
組成物の半球スペクトル透過Ｔｈ(λ)は、図１に示したように、組成物Ｐの試料により受けられた波長λの光の強度と平面により区切られた空間内ですべての方向にこの試料により復元された（restitute）光の強度との比により定義される。
【００２９】
試料の直接スペクトル透過Ｔｄ（λ）は、図２に示されたように、試料により受け取られた波長λの光の強度と入射光と同じ伝播方向にこの試料により復元された光の強度との比により定義される。
【００３０】
半球スペクトル透過Ｔｈ(λ)及び直接スペクトル透過Ｔｄ（λ）の測定は以下の実験プロトコルに従って行われ得る。
【００３１】
分析することが所望される組成物Ｐがくりぬかれた石英のスライドＱの上に、２０μｍの厚さｅの層を形成するように広げられ、次に３７℃において５分間オーブン中に入れられる。
【００３２】
Varian Cary 300(商標)分光光度計及び組成物を含む石英のスライドの後ろに置かれたLabsphere(商標)ブランドの積分球を用いてＴｈ（λ）は測定され得る。分光光度計は分散透過モードで使用され、単色の入射光の波長λは４００〜７００nmの範囲である。
【００３３】
測定は透過モード％Tにおいて、２４０nm／分の速度において、“ダブルリバース”モードにおいて、行われた。
【００３４】
第１段階において、空の石英スライドQの上で最初の測定を行い、透過された強度の最大値を得ることにより更正が行われる。
【００３５】
次に半球スペクトル透過Th（λ）が分析されるべき組成物Pを含む石英のスライドを用いて測定される。
【００３６】
Ｔｄ（λ）値は同じ分光光度計で測定され、直接透過モードにおいて使用され、入射の単色光の波長λは４００〜７００nmの範囲である。機械は透過モード％T、２４０nm／分の掃引速度、“ダブル”モードに設定される。空の石英スライドが対照部に入れられ、組成物を含む石英スライドが測定部におかれ、そしてＴｄ（λ）が測定される。
【００３７】
波長が４００〜７００nmの範囲であるとき、得られるＴｈ(λ)又はＴｄ（λ）のすべてのスペクトルの値の平均をそれぞれ確立することにより、半球透過率Ｔｈ及び直接透過率Ｔｄが計算される。
【００３８】
飽和Ｃ*
飽和Ｃ*は以下の方法で、ＣＩＥ  Ｌ*ａ*ｂ*Ｃ*ｈ比色空間において測定され得る。
【００３９】
２．４７ｍｍの最小深さを有する亜鉛メッキされたスチールのるつぼのふちまで、その飽  和を測定することが望まれる組成物が入れられる。
【００４０】
次にるつぼはLabo-Modeme社製の７６×２６ｍｍの“LMR”Ｈ１のはす縁のカバースライドで覆われる。
【００４１】
飽和C*はＣＭ3700d分光測色計を用いて測定され、照明及び観測系はｄ／８°反射モードであり、測定はもっぱら鏡面反射モードで行われる。
【００４２】
ＵＶ放射は１００％を含む。
【００４３】
ズームの位置は中（ＭＡＶ）であり、絞りは中であり、コンフィグレーションはＣＲＥＩＭＭであり、観測は１０°ＣＩＥ１９６４であり、光源はＤ６５である。
噴霧装置
ソフトフォーカス組成物の噴霧は、該組成物により与えられるソフトフォーカスの性質に影響を及ぼさないのであれば、当業者に公知の任意の方法により行われ得る。
【００４４】
噴霧は例えば、組成物を例えば噴射ガスの圧力に付することにより組成物を加圧する手段を用いて行われ得る。
【００４５】
この噴射ガスは組成物と共に又は別に容器に入れられてもよく、該組成物は加圧された容器内の例えば柔軟な袋に収容される。
【００４６】
組成物はポンプ、特に手動で操作されるポンプにより加圧され得、それは予備圧縮と共にあるいは共にでなくてもよい。
【００４７】
組成物はエアログラフィックなタイプ（aerographic type）の噴霧装置におけるVenturi効果によってもまた噴霧され得る。
【００４８】
どのような噴霧方式が採用されても、組成物は１以上の噴霧ノズル（乱気流チャンネルあり又はなし）から噴霧され得る。
【００４９】
図３及び４は、とりわけ、噴霧装置の２つの例を示す。
【００５０】
図３の装置は、例えばアエロゾルタイプであり、組成物及び噴射ガスを含む加圧された容器１、バルブ（示されていない）を発動させる押しボタン３を含む散布ヘッド２、及び噴射ノズル４を含む。
【００５１】
図４はエアログラフィックタイプの噴霧装置のもう１つの例を示し、該装置は担体ガスを含む第１容器１０及び組成物を含む第２容器１１を含み、担体ガス１０は例えば噴霧ノズル１３の上流にある２つのノズル１２から噴射される。担体ガスの流れにより生み出される負の圧力が組成物の貯蔵容器１１において吸引を引き起こす。
【００５２】
噴霧装置の非制限的な例は特に国際特許出願公開第０２／４７６１８号中に記載される。
【００５３】
組成物が噴射ガスにより噴霧されるとき、このガスは例えば圧縮されたガス、例えば圧縮空気又は窒素、又は液化可能なガス、例えばジメチルエーテル、Ｃ3〜5のアルカン、特にプロパン、ｎ−ブタン及びイソブタン、1,1,-ジフルオロエタン及びジメチルエーテルとＣ3〜5のアルカンとの混合物であり得る。
【００５４】
ソフトフォーカス組成物／噴射ガスの重量比は特に0.05〜50の範囲であり、例えば特に1.5〜25の範囲であり得る。
【００５５】
噴霧は担体ガス又は噴射ガスなしの噴霧装置、例えば電気機械的又は熱装置を用いてもまた行われ得る。
【００５６】
本発明の課題は、上に定義されたソフトフォーカス組成物を含む容器を含む噴霧装置でもまたある。
【００５７】
この噴霧装置は該組成物が噴霧されることを許すための正又は負の圧力に該組成物を付するための手段を含みうる。
【００５８】
フィラー
本発明のソフトフォーカス組成物において使用され得るソフトフォーカスなフィラーは、特に、１５μｍ以下、特に１０μｍ以下、とりわけ７．５μｍ以下、あるいは５μｍ以下でさえ、例えば１〜５μｍの間の数平均サイズを有する粒子を含み得る又はそのような粒子から成り得る。
【００５９】
用語“数平均サイズ”とは、母集団の半分に対する統計的粒子サイズの分布により与えられる寸法（Ｄ５０として知られる）を意味する。
【００６０】
これらの粒子は任意の形であり得、特に球形又は非球形であってもよい。
【００６１】
本発明のソフトフォーカスフィラーは、化粧料的な使用と両立し、組成物の期待される性質に影響を及ぼさなければ任意の化学的性質であり得る。
【００６２】
従って、それらはシリカ及びケイ酸塩粉末、特にアルミナシリケート粉末、ポリメチルメタクリレート（ＰＭＭＡ）タイプの粉末、タルク、シリカ／ＴｉＯ2又はシリカ／酸化亜鉛複合体、ポリエチレン粉末、澱粉粉末、ポリアミド粉末、スチレン／アクリルコポリマー粉末及びシリコーンエラストマー、及びそれらの混合物から選択され得る。
【００６３】
本発明に特に適するソフトフォーカスフィラーの中で、３ミクロン以下の数平均サイズを有するタルク、例えば１．８ミクロンの数平均サイズを有するタルク、特に日本タルク社によりタルクＰ３(商標)の商品名で販売されている製品、ナイロン(商標)１２粉末、特にＡｔｏｃｈｅｍ社によりOrgasol 2002 Extra D Nat Cos(商標)の名前で販売されている製品、鉱物ワックス１％〜２％で表面処理されたシリカ粒子（INCI名：水和化されたシリカ（及び）パラフィン）、例えばDegussa社により販売される製品、アモルファスのシリカ微小球、例えばSunsphereの名前で販売されるもの、例えば旭硝子社による品番H-53、及びシリカミクロビーズ、例えばミヨシ社によりSB-700(商標)又はSB-150の名前で販売されるものが挙げられ得るが、このリストは限定するものではない。
【００６４】
ソフトフォーカスフィラーは、好ましくは、それが存在するところの媒体の屈折率とは異なる屈折率を有する。
【００６５】
ソフトフォーカスフィラーは該組成物において実質的に無色であり得る。
【００６６】
ソフトフォーカスフィラーはソフトフォーカス組成物中に、該組成物の合計重量に対して０．１〜２０重量％、特に１〜１２重量％、とりわけ５〜１０重量％、例えば約8％の含有量で存在し得る。
【００６７】
着色剤
ソフトフォーカス組成物及びベース組成物からの少なくとも１は少なくとも１の着色剤を含みうる。
【００６８】
本発明のソフトフォーカス組成物は着色剤を含んでいてもいなくてもよい。
【００６９】
例えば、該組成物が裸の皮膚に直接施与されることを意図されるときは、それは着色剤を含みうる。
【００７０】
本発明の目的のために、用語“着色剤”とは、組成物に十分な色を与え、該組成物が要求される飽和C*を有することを許し、同時に所望されるヘイズ指数H及び半球透過率Ｔｈ値を与えるこのとできる任意の顔料又は染料、又は顔料及び／又は染料の混合物を意味する。
【００７１】
着色剤は特に少なくとも１の顔料の粒子を含みうる、又は粒子から成り得る。顔料粒子は、適切であれば、色の安定化を増加させ、該組成物へのそれの取り込みを容易にすることを目的とする処理を受けていてもよい。特に、例えば疎水性にするための処理を受けた顔料粒子はより容易にオイル相に分散可能である。
【００７２】
顔料粒子は、様々な形、特に実質的に球形又は扁平にされた形を有しうる。
【００７３】
顔料粒子は、多層構造、特に透明例えばシリカできた核を有し得る。
【００７４】
そのような透明な核を有する顔料粒子は、該組成物が過度に不透明にされることを防止し、そのことは所望されるHおよびTh値を得るために好ましい。
【００７５】
顔料は不干渉粒子であり得、かつ非蛍光性であり得る。
【００７６】
粒子が相対的に透明な多層構造を有する顔料の場合特に、顔料の割合は相対的に高くてもよく、例えば組成物の合計重量に対して１％以上、特に１．５〜１０重量％、よりよく２〜８重量％であり得る。割合は、例えば２〜５重量％、例えば約３％であり得る。
【００７７】
顔料の透明性が高いほど、原則として組成物に所望されるソフトフォーカス及び半球透過率を失わせることなく、顔料の量はより高くてもよい。
【００７８】
顔料の透明性はそのコントラスト比（後で定義される）、この比は例えば１５〜６５、よりよく５０以下である、により定量化され得る。コントラスト比は特に４５以下、よりよく４０以下であり得、例えば３５でさえよい。
【００７９】
着色剤は、例えばセリサイト／褐色酸化鉄／二酸化チタン／シリカタイプであり得る構造を有する顔料を含みうる。そのような顔料は、例えば品番Ｃｏｖｅｒｌｅａｆ ＮＳ又はＪＳの品番の下でＣｈｅｍｉｃａｌｓ and Ｃａｔａｌｙｓｔｓ社により販売され、３０の領域におけるコントラスト比を有する。
【００８０】
着色剤は例えば酸化鉄を含むシリカ微小球であり得る構造を有する顔料をもまた含みうる。この構造及び相対的に低いコントラスト比を有する顔料の例は、ミヨシ社により品番ＰＣ Ｂａｌｌ ＰＣ−ＬＬ−１００ Ｐの品番の下で販売される製品であり、この顔料は黄色酸化鉄を含むシリカ微小球からなる。
【００８１】
相対的に低いコントラスト比の値は、ヘイズ指数及び半球透過率値と相まって、色及び被覆の合同供給に関して特に満足のいく結果を得ることを可能にすると同時に、高いソフトフォーカスを維持し、不完全さが隠蔽されることを許す。
【００８２】
顔料の混合物の場合、これらの顔料の割合は、それのコントラスト比の関数として調節され得る。
【００８３】
組成物は６０より大きいコントラスト比を有する顔料を含まなくてもよい。
【００８４】
変形として、組成物は、組成物へ導入される量が所望されるＨ及びＴｈ値が得られることを妨げないのであれば、相対的に不透明である少なくとも１の粒子、特に６０より大きいコントラスト比を有するものをもまた含み得る。
【００８５】
組成物はこのように例えば慣用の顔料、相対的に高いコントラスト比、例えば４０以上を有する例えば酸化鉄及び／又は二酸化チタンタイプの顔料を含み得る。
【００８６】
組成物は、組成物の合計重量に対して２重量％未満、よりよく１．５重量％未満、さらによりよく１％未満、さらによりよく０．７５％未満、例えば０．２５〜０．７５％の間、例えば約０．５％のそのような顔料を含むことが好ましい。
【００８７】
着色剤は、それらの組成物への取り込みが所望されるヘイズ指数Ｈ及び半球透過率Ｔｈが得られることを妨げないのであれば、染料、特に水溶性又は脂溶性の染料、又の染料からもまた選択され得る。着色剤はしたがって水溶性染料、例えばカラメルを含み得る。
【００８８】
着色剤はそれがその上に施与されるところの皮膚の色に対応する色を有し得、特に少なくとも１の褐色、黄色、又は赤の顔料を含む。
【００８９】
着色剤は真珠光沢物質を含まなくてもよい。
【００９０】
ソフトフォーカス組成物が着色された下地組成物の上に噴霧されるとき、ソフトフォーカス組成物は、特に所望されるＨ及びＴｈ値に影響を与えないのであれば、適切であれば、任意の着色剤を含み得る。
【００９１】
この着色剤は使用される任意の慣用の染料から選択され得る。
【００９２】
コントラスト比の測定
コントラスト比は特に国際特許出願公開第９８／５２５３４号において定義される。
【００９３】
コントラスト比を計算するため、方法は以下のように行われる。
【００９４】
合計重量に対して５重量％の調べられるべき着色剤と、残りに対しては下の対照エマルジョンとから形成された混合物が黒色の不透明支持台および白色の不透明の支持台に、厚さ５０μｍのフィルムとして施与される。このフィルムは１気圧の圧力下、２５℃±１℃において２４時間乾燥される。
【００９５】
対照エマルジョンは以下の配合を有する：
【００９６】
【表１−１】
2005053910.tif 000002
【００９７】
【表１−２】
2005053910.tif 000003
【００９８】
比色計、例えば０°の視野角を有し光源Ｄ６５モードにおけるミノルタＣＲ−２００機を用いて、該組成物の三刺激値Ｙが黒色の支持台上の３つの異なる点において、及び白色支持台上の３つの異なる点において測定される。
【００９９】
コントラスト比は、黒色支持台上で測定された３つのＹの値の平均を白色支持台上で測定された３つのＹの値の平均で割り、１００をかけたものに対応する。
【０１００】
コントラスト比が高く１００％に近いほど、着色剤はより不透明である。コントラスト比が低いほど、着色剤はより透明である。
【０１０１】
生理学的に許容される媒体
ソフトフォーカス組成物は生理学的に許容される媒体を含む。
【０１０２】
用語“生理学的に許容される媒体”とは、皮膚、特にヒトの顔及び／又は首、口唇又は爪に施与されうる非毒性の媒体を意味する。
【０１０３】
この生理学的に許容される媒体は、適切な場合、液状脂肪相、この脂肪相は恐らく揮発性オイル、非揮発性のオイル及びそれらの混合物から選択される少なくとも１のオイルを含む。
【０１０４】
揮発性オイル
ソフトフォーカス組成物の液状脂肪相は少なくとも１の揮発性オイルを含みうる。
【０１０５】
用語“揮発性オイル”とは、室温（２５℃）及び大気圧（７６０ｍｍＨｇ）において皮膚と接触したとき１時間未満内に蒸発することのできる任意の非水性媒体を意味する。揮発性オイル、それは室温において液体であり、室温及び大気圧において測定されて、１０-3〜３００ｍｍＨｇ(０．２６６Ｐａ〜４００００Ｐａ) の範囲、好ましくは０．０２〜３００ｍｍＨｇ（２．６６Ｐａ〜４００００Ｐａ）、よりよく０．１〜９０ｍｍＨｇ（１３Ｐａ〜１２０００Ｐａ）の範囲の蒸気圧を有する。
【０１０６】
これらの揮発性オイルは炭化水素をベースとするオイル、シリコーンオイル（任意的にシリコーン鎖のペンダント状である又は末端にあるアルキル又はアルコキシ基を含む）及びフルオロオイル、又はそれらの混合物であり得る。
【０１０７】
特に、揮発性オイルはその使用を容易にするために、引火点を有しないオイル、４０〜１００℃の範囲の引火点を有するオイル、およびそれらの混合物から選択された化粧オイルであり得る。さらに、それらは有利に、２２０℃未満、特に２１０℃未満、特に１１０〜２１０℃の大気圧における沸点を有する。これらの揮発性オイルは例えば、少なくとも７の炭素原子を含むモノアルコールではあり得ない。
【０１０８】
使用され得る揮発性オイルとして、室温において８cＳｔ未満の粘度を有し、特に２〜７の珪素原子を含む直鎖又は環状のシリコーンオイル（これらのシリコーンは任意的に１〜１０の炭素原子を含むアルキル又はアルコキシ基を含んでいてもよい）が挙げられ得る。
【０１０９】
使用され得る揮発性シリコーンオイルとして、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン及びドデカメチルペンタシロキサン及びそれらの混合物が挙げられ得る。
【０１１０】
使用され得る他の揮発性オイルとして、８〜１６の炭素原子を含む炭化水素をベースとする揮発性オイル及びそれらの混合物、特に分岐状のＣ8〜Ｃ16アルカン、例えばＣ8〜Ｃ16のイソアルカン(イソパラフィンとしてもまた公知である)、イソドデカン、イソデカン、及びイソヘキサデカン、例えば商標名Isopar(商標)又はPermetyl(商標)の下で販売されているオイル、及び分岐状のＣ8〜Ｃ16エステル例えばネオペンタン酸イソヘキシル、及びそれらの混合物が挙げられ得る。
【０１１１】
イソドデカン（Permethyl ９９ A(商標)）、Ｃ8〜Ｃ16のイソパラフィン、例えばIspar L、E、G又はH(商標)、それらの混合物（任意的にデカメチルテトラシロキサン又はシクロペンタシロキサン、又はそれらの混合物と併用されてもよい）が特に使用される。
【０１１２】
揮発性のフルオロオイルもまた使用され得る。
【０１１３】
揮発性オイルはソフトフォーカス組成物中に、組成物の合計重量に対して５〜９７．５重量％、特に２０〜７５重量％の範囲の含有量において存在し得る。
【０１１４】
非揮発性オイル
ソフトフォーカス組成物は非揮発性の脂肪フラクションをもまた含み得る。この非揮発性脂肪フラクションは少なくとも１の非揮発性オイルを含みうる。
【０１１５】
用語“非揮発性オイル”は室温（２０℃）において液体であり、その室温において蒸発しない脂肪質物質を意味する。
【０１１６】
挙げられ得る非揮発性オイルの中には、
−ポリ（Ｃ1〜Ｃ20）アルキルシロキサン及び特にトリメチルシリル末端基を含むもの、好ましくは０．０６ｍ2／秒未満の粘度を有するもの、その中では直鎖のポリジメチルシロキサン及びアルキルポリシロキサン、例えばセチルジメチコン（CTFA名）
任意的にフッ素化された脂肪族及び／又は芳香族基又は官能基、又は例えばヒドロキシ、チオール及び／又はアミン基で変性されたシリコーン
−フェニルシリコーン、特にフェニルトリメチコン、
−植物又は鉱物起源のオイル、例えば液体パラフィン、液体石油ゼリー、ペルヒドロスクワレン、ラノリン、アプリコット油、小麦胚芽油、スイートアーモンド油、ビューティリーフ油、ゴマ種油、マカデミア油、グレープシード油、菜種油、ココナツ油、ラッカセイ油、ヒマワリ油、パーム油、ヒマシ油、アボガド油、ホホバ油、オリーブ油、又は穀物胚芽油、及びシアバターの液体フラクション；ポリオールの脂肪酸エステル、特に液状トリグリセリド、ミリスチン酸イソプロピル、ミグリオールオイル、ネオペンタン酸イソステアリル、パルミチン酸２−エチルヘキシル、ヒマシ油、アセチルクエン酸トリブチル；アルコール、特に２−オクチルドデカノール；アセチルグリセリド；アルコール又はポリアルコールのオクタン酸エステル、デカン酸エステル又はリシノール酸エステル；脂肪酸トリグリセリド；グリセリド及びフルオロ及びパーフルオロオイル、
−アミド化合物、特に特許出願ＰＣＴ／ＦＲ９８／０１０７７に記載されるもの、例えばN−ネオペンタノイル−２−オクチルドデシルアミン、N−ネオペンタノイル−２−ブチルオクチルアミン、N−（３，５，５−トリメチルヘキサノイル）−２−オクチルドデシルアミン又はＮ−（３，５，５−トリメチルヘキサノイル）−２−ブチルオクチルアミン、及び
それらの混合物、
がある。
【０１１７】
特に、ソフトフォーカス組成物は、ゴマ油、ラノリン、ミリスチン酸イソプロピル、ミグリオール油、ネオペンタン酸イソステアリル、パルミチン酸２−エチルヘキシル、ヒマシ油、アセチルクエン酸トリブチル、２−オクチルドデカノール、Ｎ−ペンタノイル−２−オクチルドデシルアミン、及びポリジメチルシロキサン及び／又はそれらの混合物から選択される１以上のオイルを含み得る。
【０１１８】
ソフトフォーカス組成物の非揮発性脂肪フラクションは非液状脂肪相、特にワックス、ガム、樹脂及び／又は動物、植物、鉱物又は合成起源のペースト状脂肪質物質から選択された少なくとも１の脂肪質物質、及びそれらの混合物をもまた含み得る。ソフトフォーカス組成物中の非液状脂肪相は噴霧により施与され得るように調節される。
【０１１９】
ソフトフォーカス組成物の非揮発性の脂肪フラクションは、組成物の合計重量に対して１〜８５重量％、特に１〜３０重量％の範囲の含有量において存在し得る。
【０１２０】
ソフトフォーカス組成物は水性相をもまた含みうる。この水性相は基本的に水から成りうる。しかし、それは水および水と混和性のある有機溶媒（２５℃において５０％より高い水混和性）、例えば１〜５の炭素原子を含む低級モノアルコール、例えばエタノール及びイソプロパノール、２〜８の炭素原子を含むグリコール、例えばプロピレングリコール、エチレングリコール、１，３−ブチレングリコール及びジプロピレングリコール、Ｃ3〜Ｃ4ケトン及びＣ2〜Ｃ4アルデヒドをもまた含み得る。
【０１２１】
この水性相（水と、任意的な水と混和性のある有機溶媒）はソフトフォーカス組成物の合計重量に対して１〜９５重量％、特に３〜８０重量％、とりわけ５〜６０重量％の範囲の含有量で存在し得る。
ソフトフォーカス組成物はフィルム形成性ポリマー（下で定義される）をもまた含み得、このフィルム形成性ポリマーは噴霧を許す条件下で使用され得る。
【０１２２】
一般的に、ソフトフォーカス組成物は化粧料において一般的であるところの補助剤をもまた含み得、例えば乳化剤、疎水性又は親水性ゲル化剤、疎水性又は親水性活性化剤、保存剤、抗酸化剤、溶媒、香料、物理的サンブロック及び化学的サンスクリーン、臭いの吸着剤、及びｐＨ調節剤である。そのような補助剤の例は後で与えられる。
【０１２３】
ソフトフォーカス組成物は界面活性剤、特に後に挙げられるものの１つを、下地組成物の配合物の一部を形成することができるものとして含み得る。
【０１２４】
ソフトフォーカス組成物の流動性粘度（fluid consistency）は使用される噴霧装置の性質に従って変化しやすく、特にエアロゾルタイプの装置の場合、噴射剤の性質に従って変化しやすい。
【０１２５】
ソフトフォーカス組成物は有利にエマルジョン、例えば脂肪相を水性相中に分散させることにより（Ｏ／Ｗ）、又は反対に（Ｗ／Ｏ）分散させることにより得られるエマルジョン、トリプルエマルジョン（Ｗ／Ｏ／Ｗ又はＯ／Ｗ／Ｏ）、イオン性（リポソーム又はオレオソーム）及び／又はノニオンタイプ（ノニソーム）のベシクルの分散物及び／又はナノカプセル又はナノスフィアの分散物の形態であり得る。
【０１２６】
エマルジョンの場合、考慮中の組成物中の脂肪相の割合は、組成物の合計重量に対して例えば５〜８０重量％、特に５〜５０重量％の範囲であり得る。
【０１２７】
例えば、ソフトフォーカス組成物は噴霧可能なジェル、特に、チキソトロピックなジェル又は噴射剤ガスに可溶であるところのジェルの形であり得る。
【０１２８】
下地組成物
ベース組成物が施与される場合、ベース組成物は生理学的に許容される媒体をもまた含む。
【０１２９】
この生理学的に許容される媒体は一般的に組成物が施与されるところの土台の性質及び組成物が容器に入れられることを意図される外観にもまた適合される。
【０１３０】
従って、下地組成物は多かれ少なかれ流動性があり、着色された又は無着色のクリーム、軟膏、乳液、ローション、漿液、ペースト、ムース、又は粉末の外観を有し得る。それはまた固体（特に棒又は皿の形）でもまたよく、又は１枚の紙の上にコーティングすることにより堆積されてもよい。
【０１３１】
下地組成物は無水の形、エマルジョンの形又はゲルの形でもまたよい。
【０１３２】
下地組成物は、通常化粧料において使用される任意の生薬の形であり得、特にゲル化されたオイルの溶液、脂肪相を水性相に分散させることにより得られたエマルジョン（Ｏ／Ｗ）、又は逆（Ｗ／Ｏ）、トリプルエマルジョン（Ｗ／Ｏ／Ｗ）、水性ゲル、イオンタイプ（リポソーム又はオレオソーム）、及び／又はノニオンタイプ（ニオソーム）のベシクル分散物及び／又はナノカプセル又はナノ球の分散物でもまたあり得る。
【０１３３】
エマルジョンの場合、考慮中の組成物の脂肪相の割合は、組成物の合計重量に対して５〜８０重量％、特に５〜５０重量％であり得る。
【０１３４】
下地組成物は少なくとも１の水性相を含み得る。
【０１３５】
水性相は基本的に水から成りうる。しかし、それは水および水と混和性のある有機溶媒（２５℃において５０％より高い水混和性）、例えば１〜５の炭素原子を含む低級モノアルコール、例えばエタノール及びイソプロパノール、２〜８の炭素原子を含むグリコール、例えばプロピレングリコール、エチレングリコール、１，３−ブチレングリコール及びジプロピレングリコール、Ｃ3〜Ｃ4ケトン及びＣ2〜Ｃ4アルデヒドをもまた含み得る。
【０１３６】
この水性相（水及び、水と混和性のある任意的な有機溶媒）はソフトフォーカス組成物の合計重量に対して１〜９５重量％、特に３〜８０重量％、とりわけ５〜６０重量％の範囲の含有量で存在し得る。
【０１３７】
下地組成物は脂肪相をもまた含み得る。
【０１３８】
特に、下地組成物の脂肪相は特に以下から選択された少なくとも１のオイルを含み得る：
−動物起源の炭化水素をベースとするオイル、例えばペルヒドロスクワレン；
−植物起源の炭化水素をベースとするオイル、例えば４〜１０の炭素原子を含む脂肪酸の液状トリグリセリド、及びカリテバターの液状フラクション；
−特に脂肪酸の合成エステル及び合成エーテル、例えば式Ｒ1ＣＯＯＲ2およびＲ1ＯＲ2のオイル（ここでR1は８〜２９の炭素原子を含む脂肪酸残基を表し、R2は３〜３０の炭素原子を含む分岐状または非分岐状の炭化水素をベースとする鎖を表す）例えばピュアセリン酸、イソノナン酸イソノニル、ミリスチン酸イソプロピル、パルミチン酸２−エチルヘキシル、ステアリン酸２−オクチルドデシル、エルカ酸２−オクチルドデシル、イソステアリン酸イソステアリル；ヒドロキシ化されたエステル、例えば乳酸イソステアリル、ヒドロキシステアリン酸オクチル、ヒドロキシステアリン酸オクチルドデシル、リンゴ酸ジイソステアリル、クエン酸トリイソセチル、及びヘプタン酸、オクタン酸、およびデカン酸の脂肪アルキルエステル、ポリオールエステル、例えばジオクタン酸プロピレングリコール、ジヘプタン酸ネオペンチルグリコール、及びジイソノナン酸ジエチレングリコール；及びペンタエリスリトールエステル、例えばテトライソステアリン酸ペンタエリスリチル；
−鉱物又は合成起源の直鎖又は分岐状の炭化水素、例えば揮発性又は非揮発性の液状パラフィン及びその誘導体、石油ゼリー、ポリデセン、及び水素化されたポリイソブテン例えばパーレアムオイル；
−８〜２６の炭素原子を含む脂肪アルコール、例えばセチルアルコール、ステアリルアルコール、及びそれらの混合物（セチルステアリルアルコール）、オクチルドデカノール、２−ブチルオクタノール、２−ヘキシルデカノール、２−ウンデシルペンタデカノール、オレイルアルコール又はリノレイルアルコール；
−部分的に炭化水素ベースの、及び／又はシリコーンベースのフルオロオイル、例えば特開平２−２９５９１２号に記載されたもの、
−シリコーンオイル、例えば室温において液体又はペースト状であるところの直鎖又は環状シリコーンを含む揮発性又は非揮発性ポリメチルシロキサン（ＰＤＭＳ）、特にシクロポリジメチルシロキサン(シクロメチコン)例えばシクロヘキサシロキサン；アルキル、アルコキシ、又はフェニル基を含む（該基はシリコーン鎖のペンダントであるか又は末端にあり、これらの基は２〜２４の炭素原子を含む）ポリジメチルシロキサン；フェニルシリコーン、例えばフェニルトリメチコン、フェニルジメチコン、フェニルトリメチルシロキシジフェニルシロキサン、ジフェニルジメチコン、ジフェニルメチルジフェニルトリシロキサン、２−フェニルエチルトリメチルシロキシシリケート、及びポリメチルフェニルシロキサン；及び
それらの混合物。
【０１３９】
下地組成物はシリコーン性又は非シリコーン性の、植物、動物、鉱物又は合成起源の、少なくとも１のワックス、少なくとも１のガム及び／又は少なくとも１のペースト状脂肪質物質をもまた含みうる。
【０１４０】
ワックスは炭化水素をベースとするワックス、シリコーンワックス及び／又はフルオロワックス（任意的にエステル又はヒドロキシ官能基を有していてもよい）であり得る。それらは特に天然起源である。
【０１４１】
ワックスは下地組成物の合計重量に対して０．１〜１０重量％、特に０．１〜５重量％に相当し得る。１の実施態様によると、該組成物はワックスフリーでもよい。
【０１４２】
下地組成物は少なくとも１のフィルム形成性ポリマーをもまた含みうる。
【０１４３】
本発明に従って、用語“フィルム形成性ポリマー”とは自分で又は補助のフィルム形成剤の存在下、皮膚に密着する連続フィルムを形成することができるポリマーを意味する。
【０１４４】
疎水性フィルムを形成できるフィルム形成性ポリマー（すなわちそのフィルムが水中で２５℃において１重量％未満の溶解度を有するポリマー）が有利に使用される。
【０１４５】
フィルム形成性ポリマーは特に以下の基からなる群から選択された少なくとも１のポリマーであり得る：
−水溶性フィルム形成性ポリマー
−フィルム形成性ポリマー粒子の水性分散物、“ラテックス”としてもまた知られる：この場合ファンデーションタイプの組成物は水性相を含まなければならない、
−脂溶性フィルム形成性ポリマー、
−ポリマー粒子の非水性分散物の形における脂肪分酸性のフィルム形成性ポリマー、好ましくは１以上のシリコーンオイル及び／又は炭化水素をベースとするオイル中で少なくとも１の安定化剤により適切な場合には、表面安定化されたポリマー粒子の分散物；これらの非水性分散物は“ＮＡＤ”としてもまた知られる、及び
それらの混合物。
【０１４６】
本発明に従って使用され得るフィルム形成性ポリマーの水性分散物は、Avecia-Neoresins社によりNeocryl XK-90(商標)、Neocryl A-1070(商標)、Neocryl A-1090(商標)、Neocryl BT-62(商標)、Neocryl A-1079(商標)及びNeocryl A-523(商標)の名前で、Dow Chemical社によりDow Latex 432(商標)の名前で、大東化成工業社によるDaitosol 5000 AD(商標) の名前で販売されているアクリル分散物；又はAvecia-Neoresins社によりNeorez R-981(商標)及びNeorez R-974の名前で、Goodrich社によりAvalure UR-405(商標)、Avalure UR-410(商標)、Avalure UR-425、Avalure UR-450(商標)、Sancure 875(商標)、Sancure 861(商標)、Sancure 878(商標)、及びSancure 2060(商標)の名前で、Bayer社によりImpranil 85の名前で、及びHydromer社によりAqumere H-1511(商標)の名前で販売されているポリウレタンの水性分散物を含む。
【０１４７】
また挙げられ得るフィルム形成性ポリマーの水性分散物は、ポリウレタン、ポリウレア、ポリエステル、ポリエステルアミド、及び／又はアルキドポリマーからなる群から選択された少なくとも１のポリマーの中で、及び／又は部分的に、前から存在する粒子の表面において１以上の遊離基モノマーの遊離基重合化から生じるポリマー分散物を含む。これらのポリマーは一般的にハイブリッドポリマーと呼ばれる。
【０１４８】
本発明に従って使用され得る水溶性のフィルム形成性ポリマーの例として、例えば植物起源のたんぱく質、アニオン性、カチオン性、両性又はノニオン性キチン又はキトサンポリマー、セルロールポリマー、アクリルポリマー又はコポリマー、ビニルポリマー及び天然起源のポリマー（任意的に変性されていてもよい）及びこれらの混合物が挙げられ得る。
【０１４９】
安定化剤の存在下の液状脂肪相中のフィルム形成性ポリマーの分散物は、書類欧州特許出願公開第７４９７４６号、同第９２３９２８号、同第９３００６０号に特に記載されており、それらの内容は参照することにより本特許出願に取り込まれる。
【０１５０】
挙げられ得る脂溶性ポリマーの例は、ビニルエステル（ビニル基はエステル基の酸素原子に直接結合されており、ビニルエステルは１〜１９の炭素原子の飽和、直鎖又は分岐の炭化水素をベースとする基を含み、エステル基のカルボニルに結合されている）とビニルエステルであってもよい少なくとも１の他のモノマー（すでに存在するビニルエステル以外のもの）、α―オレフィン（８〜２８の炭素原子を含む）アルキルビニルエーテル（アルキル基は２〜１８のＣ原子を含む）又はアリル又はメタアリルエステル（飽和で、直鎖又は分岐の１〜１９の炭素原子の炭化水素基を含み、エステルのカルボニルに結合している）とのコポリマーである。
【０１５１】
フィルム形成性ポリマーは、組成物の合計重量に対して０．０１〜２０重量％、特に０．５〜１０重量％の固体含有量で組成物中に存在し得る。
【０１５２】
下地組成物は化粧料において一般的であるところの補助剤、例えば乳化剤、疎水性又は親水性ゲル化剤、染料、疎水性又は親水性活性化剤、保存剤、抗酸化剤、溶媒、香料、フィラー、物理的サンブロックおよび化学的サンスクリーン、臭いの吸着剤及びpＨ調節剤をもまた含み得る。
【０１５３】
これらの種々の補助剤の量は、考慮中の分野で慣用的に使用される量であり、例えば組成物の０．０１〜２０重量％である。それらの性質によって、これらの補助剤は脂肪相又は水性相に導入され得る。
【０１５４】
いずれの場合も、これらの補助剤、及びそれらの割合は、本発明の所望される性質を害さないように選択される。
【０１５５】
下地組成物は少なくとも１の界面活性剤をもまた含みうる。
【０１５６】
これらの界面活性剤は、アニオン性及びノニオン性界面活性剤から選択され得る。性質の定義及び界面活性剤の機能については、書類、“化学技術テクノロジーの百科事典、Kirk-Othmer”、第２２巻、３３３〜４３２頁、第３版、1979年、ワイリー、が、アニオン性及びノニオン性界面活性剤についてはこの参考文献の特に３４７〜３７７ページが参照される。
【０１５７】
下地組成物において特に使用され得る界面活性剤の中で特に以下のものが挙げられ得る：
−ノニオン性界面活性剤：脂肪酸、脂肪アルコール、ポリエトキシ化又はポリグリセロール化脂肪アルコール、例えばポリエトキシ化ステアリル又はセチルステアリルアルコール、ショ糖の脂肪酸エステルグルコース、アルキルグルコースエステル、とくにポリオキシエチレン化されたＣ1〜Ｃ6アルキルグルコース脂肪エステル及びそれらの混合物、
−アニオン性界面活性剤：アミン、水性アンモニア、又はアルカリ塩及びそれらの混合物で中和されたＣ16〜Ｃ30の脂肪酸。
【０１５８】
使用され得る乳化剤及び共乳化剤（co-emulsifier）として、例えばＯ／Ｗ乳化剤、例えばポリエチレングリコールの脂肪酸エステル、特にＰＥＧ-100ステアリン酸エステル、及びグリセロールの脂肪酸エステル例えばステアリン酸グリセリル、及びまた入手可能なＷ／Ｏ乳化剤、例えばDegussa Goldschmidt社によりAbil WE09、Abil EM 90、Abil EM97の商品名で販売されているもの、又はGuardian社によりUnitwixの商品名で販売されているアセチルエチレングリコールステアレートとグリセリルトリステアレートとの混合物が挙げられ得る。
【０１５９】
使用され得る疎水性ゲル化剤として、特にカルボキシビニルポリマー（カーボマー）、アクリルコポリマー例えばアクリレート／アルキルアクリレートコポリマー、ポリアクリルアミド、多糖類、天然のガム及び粘土が挙げられ得、使用され得る親水性ゲル化剤は変性粘土、例えばベントン、脂肪酸の金属塩、疎水性シリカ、及びポリエチレンを含む。
【０１６０】
下地組成物において特に使用され得る染料として、化粧料又は皮膚科学組成物において通常使用される親水性染料、疎水性染料、顔料及び真珠光沢物質、及びそれらの混合物が挙げられ得る。
【０１６１】
脂溶性染料は、例えばスーダンレッド、DCレッド１７、DCグリーン6、βカロテン、大豆油、スーダンブラウン、DCイエロー11、DCバイオレット２、DCオレンジ５、及びキノリンイエローである。
【０１６２】
顔料は白色又は有色であり得、鉱物及び／又は有機性であり得、及び被覆されている又は被覆されていなくてもよい。挙げられ得る鉱物の顔料の中には二酸化チタン（任意的に表面処理されていてもよい）、酸化ジルコニウム又は酸化セリウム、及びまた酸化鉄又は酸化クロム、マンガン紫、群青、クロム水和物、及び第２鉄青がある。挙げられ得る有機顔料の中に、カーボンブラック、D＆Cタイプの顔料及びコチニールカーマイン又はバリウム、ストロンチウム、カルシウム又はアルミニウムに基づくレーキがある。
【０１６３】
真珠光沢を有する顔料は白色真珠光沢顔料例えば、オキシ塩化チタン又はビスマスで被覆されたマイカ、着色された真珠光沢顔料例えば酸化鉄で被覆されたチタンマイカ、特に第２鉄青又は酸化クロムで被覆されたチタンマイカ、上記されたタイプの有機顔料で被覆されたチタンマイカ、及びオキシ塩化ビスマスに基づく真珠光沢のある顔料から選択されうる。
【０１６４】
顔料は表面処理を受けていてもよい。
【０１６５】
下地組成物において使用され得る顔料の中に、角度依存発色性(goniochromatic)顔料もまた挙げられ得る。
【０１６６】
下地組成物において使用され得るフィラーとして、顔料のソフトフォーカス組成物に関連して上述されたフィラー以外に、National Starch社によりDry Flo Plus（28-1160）の名前で販売されるオクテニル琥珀酸無水物で架橋された澱粉；ポリアミド粒子及び特にAtochem社によりOrgasolの名前で販売されるもの；アクリルコポリマーに基づく微小球例えばPolytrapの名前でDow Corning社により販売されるエチレングリコールジメタクリレート／ラウリルメタクリレートコポリマーによりできたもの；膨張された粉末（expanded powder）、例えば中空の微小球及び／又は特にKermarnod Plast社によりExpancelの名前で販売される微小球、又は松本社によりMicropearl Ｆ 80 EDの名前で販売されるもの； ポリメタクリレートタイプの粉末（PMMA）、シリコーンエラストマー、及びSunsphereタイプのシリカ粉末、シリコーン樹脂ミクロビーズ例えば東芝シリコーン社によりTospearlの名前で販売されるもの；及びそれらの混合物が挙げられ得る。
【０１６７】
これらのフィラーは下地組成物の合計重量に対して０．０１〜２０重量％、好ましくは１〜１０重量％の範囲で存在し得る。
【０１６８】
本発明において使用に有利であるフィラーは、シリカ、マイカ、及び二酸化チタンである。
【０１６９】
活性化剤
化粧料又は皮膚科学において一般的である活性化剤（下地組成物及び／又はソフトフォーカス組成物において使用され得る）として、特に、皮膚の老化に対する活性で知られる任意の活性化剤、例えば表皮剥離剤又は代理落屑剤（prodesquamating agent）、例えばα―ヒドロキシ酸、β―ヒドロキシ酸、α―ケト酸、β−ケト酸、レチノイド、及びそれらエステル、レチナール、レチン酸及びその誘導体が挙げられ得る。静脈関連性の植物抽出物、例えばルスカス及び／又は一般のマロニエの抽出物；キサンチン塩基、例えばカフェイン；ビタミン例えばビタミンＡ、Ｂ３、ＰＰ、Ｂ５、Ｅ、Ｋ１及び／又はＣ及びこれらのビタミンの誘導体、特にそれらのエステル；遊離基捕捉剤；サンスクリーン；保湿剤、例えばポリオール；セラミド；ＤＨＥＡ及びその誘導体；補酵素Ｑ１０；漂白剤及び脱色素剤、例えば麹酸、タツナミソウ、桑、甘草、及び／又はカモミールの抽出物；パラ−アミノフェノール誘導体、アルブチン及びその誘導体及びそれらの混合物が挙げられ得る。
【０１７０】
あぶら性又は組み合わせ皮膚の化粧的処理における使用にとって、下地組成物及び／又はソフトフォーカス組成物は、ビタミンＢ３及びＢ５；亜鉛塩、特に酸化亜鉛およびグルコン酸亜鉛；サリチル酸及びその誘導体、例えば５−ｎ−オクタノイルサリチル酸；トリクロサン；カプリロイルグリシン；クローブの抽出物；オクトピロックス；ヘキサミジン；及びアゼライン酸及びその誘導体から選択される少なくとも１の活性化剤を含みうる。
【０１７１】
有機スクリーニング剤から選択されるＵＶＡ及び／又はＵＶＢスクリーニング剤及び疎水性にするために任意的に被覆されていてもよい鉱物スクリーニング剤もまた下地組成物及び／又はソフトフォーカス組成物に導入され得る。
メイクアップキット
それのもう１つの特徴にしたがって、本発明はメイクアップキットにもまた関連する。このメイクアップキットは少なくとも1の下地組成物及び本発明のソフトフォーカス組成物（これは下地組成物とは異なる）を含む。
【０１７２】
このメイクアップキットは、例えば、皮膚に下地組成物を施与するための手段をもまた含み得る。
【０１７３】
このメイクアップキットを構成する下地組成物及びソフトフォーカス組成物は、別の容器に入れられても、入れられなくてもよい。
【０１７４】
下に示される配合物例は本発明の非制限的な例であり、百分率は組成物の合計重量に対する重量ベースで表現されている。
【０１７５】
ファンデーションからなる下地組成物の例
【０１７６】
【表２−１】
2005053910.tif 000004
【０１７７】
【表２−２】
2005053910.tif 000005
【０１７８】
上の下地組成物の上に噴霧されることを意図された無着色のソフトフォーカス組成物：
【０１７９】
【表３−１】
2005053910.tif 000006
【０１８０】
【表３−２】
2005053910.tif 000007
【０１８１】
ソフトフォーカス組成物はエアグラフィックタイプの噴霧装置を用いて下地組成物の上に施与される。
【０１８２】
皮膚の不完全さの知覚の実質的な減少が観察され得る。
【０１８３】
裸の皮膚に噴霧され得る着色されたソフトフォーカス組成物の例
【０１８４】
【表４】
2005053910.tif 000008
【０１８５】
組成物はエアログラフィックタイプの噴霧装置を用いて施与される。
【０１８６】
色の供給及び凹凸の欠点の知覚の減少が観察され得る。
【０１８７】
裸の皮膚の上に噴霧され得るもう１つの着色されたソフトフォーカス組成物の例
【０１８８】
【表５】
2005053910.tif 000009
【０１８９】
組成物はエアログラフィックタイプの噴霧装置を用いて前と同様に施与される。皮膚の色の不完全さの可視性の減少が再び観察される。
【０１９０】
クレームを含む記載を通して、用語“１の〜を含む”は、特に述べられない限り、“少なくとも１の〜を含む”と同義語であるとして理解されるべきである。
【図面の簡単な説明】
【０１９１】
【図１】半球スペクトルの透過率Ｔｈ
【図２】直接スペクトルの透過率Ｔｄ
【図３】噴霧装置
【図４】噴霧装置
【符号の説明】
【０１９２】
１    本発明の組成物及び噴射ガスを含む容器
２    散布ヘッド
３    押しボタン
４    噴射ノズル
１０  担体ガスを含む第１容器
１１  本発明組成物を含む第２容器
１２  ノズル
１３  噴霧ノズル
【図１】
2005053910.tif 000010
【図２】
2005053910.tif 000011
【図３】
2005053910.tif 000012
【図４】
2005053910.tif 000013